(57)【要約】      （修正有）【課題】袖口に通した紐で調節して袖口の太さを自在にし、腕を袖に通さないでも着用可能に、介添えなしで一人で着脱可能に、腕が剥き出しにならないように、安全な摂食が可能なように、手術終了直後に病衣への患者の移動着地と着せ替えを容易にし、看護師の腰痛と時間のロスを防止することができる病衣の提供。【解決手段】本考案は左右両袖に切り込みＡ及びＢを入れて開閉自在にすると同時に、袖口に紐イを通して紐の緩め加減で調節し袖口の太さを自在に出来るようにした。両袖の切り込みＡ及びＢを開閉することにより、腕を袖に通さないでも着脱が可能に、介添えなしでも一人で着用可能に、前身頃の前開きと同時に開けば、完全な全開状態にしてストレッチャ−の上に広げて置ける。【選択図】図１
0003114318.tif 000002
【実用新案登録請求の範囲】
【請求項１】
左右両袖に肩から下方８センチないし１０センチ、即ち、腕の内側の中心近くを通る位置に、衿首から手首まで切り込みを入れて袖の開閉を自在にすると同時に、両袖口に紐を通して紐の緩め加減で調節して、袖口の太さを自在に出来るようにしたことを特徴とする手術終了直後から着用する病衣。
【考案の詳細な説明】
【技術分野】
【０００１】  本考案は、左右両袖に切り込みを入れて、両袖の全開閉が自在に出来るようにすると共に、両袖口に通した紐の緩め加減で袖口の太さを自在に出来るようにした、手術終了直後から着用する病衣に関するものである。
【背景技術】
【０００２】  病院では病気や怪我等の手術終了直後において、手術着からの着替え衣として、浴衣が利用されている。
【考案の開示】
【考案が解決しようとする課題】
【０００３】  浴衣は患者側からは、左右の前身頃を合わせ腰紐をするだけなので、前が開いてはだけてしまう。袖口が広いので腕や肩の方まで剥き出しになってしまう事が多い。手や肘、腕肩等の手術をした患者は腕を袖に通せず、また片手では緩んだ腰紐は結び直せない、袖口が広く摂食時に汁もの等をひっくり返す危険が生ずる。看護師側からは、手術終了後に患者を移動するストレッチャ−の上に広げて置いてある浴衣の上に、患者を移動着地するが浴衣は衿から肩と袖までの部分を開くことが出来ず、この部分が患者の身体の下に入り込んでしまい、患者を再度持ち上げて入り込んだ部分を引っ張り出さなければならず、看護師の腰痛原因と時間のロスになっている。従って、左右両袖に切り込みを入れて両袖の全開閉が出来るようにすると同時に、腕に包帯やギブス、シ−ネ等をつけても着用出来るよう袖巾を太くしてあるので、袖に通した紐の緩め加減で調節し袖口の太さを自在に出来るようにし、両前身頃に前開きを作り、前述の欠点を解決しようとするものである。
【課題を解決するための手段】
【０００４】  本考案は、左右両袖に肩から下方８センチないし１０センチ、即ち、腕の内側の中心近くを通る位置に、衿首から手首まで切り込みを入れて袖の開閉を自在にすると同時に、袖口に紐を通して紐の緩め加減で調節して、袖口の太さを自在に出来るようにした。また、左右の前身頃に前開きを作って開閉自在に出来るようにした。左右両袖の切り込みと左右前身頃の前開きの開閉は、片手でも容易に出来るマジックボタンで行なう。
【考案の効果】
【０００５】  上述の様に、本考案の手術終了直後より着用する病衣は、左右両袖に切り込みを入れて開閉自在にすると同時に、袖口に通した紐による調節で袖口の太さを自在にできるので、腕を袖に通さなくても着用が可能であり、腕が剥き出しにならない、片手しか使うことが出来なくても安全な摂食が可能である。また、左右両袖の切り込みの位置は前身頃と後身頃が続いている状態になるので、着用時に後身頃が床にずり落ちることは起きない、患者本人が自身の腕の上で腕を支えにして自らがマジックボタンで開閉できるので、片手しか使えなくても介添えなしで一人で着脱が可能である。前身頃に前開きを作り、マジックボタンで開閉するので前が開いてしまうことは起きない。前開きと両袖の切り込みを開けることにより、病衣をストレッチャ−の上に完全な全開状態で広げて置けるので、患者の移動着地と着せ替えが容易となり、看護師の腰痛防止と時間のロス防止に役立つ。両袖の切り込みの位置は、手術で肩まで腕が上がらなくても開閉出来る、仰向けに寝ても横向きに寝ても、マジックボタンが身体にあたって痛くならない、床擦れしない位置でもある。
【考案の実施するための最良の形態】
【０００６】  手術終了後に手術着からの着替え衣として着用させる場合は、病衣の前身頃を上に後身頃を下にしてストレッチャ−の上に置き、袖口の紐を緩めて袖口を開き、左右両袖の切り込みと前開きのマジックボタンをはずし、左右両袖の切り込みの上部を上側に下部を下側に、右前身頃は右側に左前身頃は左側に開く。これで完全な全開状態になるので、手術終了後は患者を後身頃の上に移動着地し、左右両袖と左右前身頃を閉じてマジックボタンで止める。袖口の紐の緩め加減は手術の状況や手首の太さ等により適宜とする。入院中に患者本人が着用する場合は、手や肘、腕、肩等の手術をしている患者は、手術をした腕の方の袖口の紐を緩めて袖口を開き、袖の切り込みのマジックボタンをはずし袖を全開にする。次に手術をしていない方の腕を袖に通し病衣を着てから、手術した方の腕に先に全開にしておいた袖の上部を肩にかけ、下部を脇の下から持ってきて衿元からマジックボタンを止め、前開きのマジックボタンを止める。最後に袖口の紐を各自適宜の太さに調節して結ぶ。手や肘等の手術以外の患者は、袖の切り込みは開閉せず通常の着用方法とする。
【実施例１】
【０００７】  以下添付図面により実施例を説明する。Ａは衿首１から手首２まで腕の内側の中心近くを通る位置に入れた右袖３の切り込みである。Ｂは衿首１から手首２まで腕の内側の中心近くを通る位置に入れた左袖４の切り込みである。このＡ及びＢの切り込みは衿首１から手首２まで開閉自在である。手術終了直後に手術着からの着替え衣として着用させる場合は、袖口の輪ロから紐イを抜き緩めて袖口を全開にし、Ａ及びＢの切り込みを衿首１から手首２まで全開にする。同時に前開き７を衿首１から裾８まで全開にする。以上の完全な全開状態になった病衣の後身頃９に患者を移動着地して、Ａ及びＢの切り込みと前開き７を閉じてマジックボタン１０で止め、袖口の紐イを調節して加減し輪ロに入れて結ぶ。
【実施例２】
【０００８】  以下添付図面により左腕を手術して右手しか使えない場合の実施例を説明する。左袖口に通した紐イをロの輪から抜いて緩め袖を全開にし、左袖４の切り込みＢのマジックボタン１０を外し左袖４を全開にしておく。次に手術をしない右腕を右袖３に通して病衣を着て、手術をした左腕に先に全開にしておいた左袖４の上部１３を乗せ、左袖の下部１４を脇の下から持ってきてマジックボタン１０を止める。左袖の下部１４を持ってきた時、同時に左前身頃６が身体の前に来るので前開き７のマジックボタン１０を止め、袖口の紐イを調節して加減し輪ロに入れて結ぶ。
【図面の簡単な説明】
【０００９】
【図１】本考案の手術終了直後より着用する病衣の正面図である。
【図２】本病衣の全開の正面図である。
【図３】本病衣の右手のみで着用する実施例の正面図である。
【符号の説明】
【００１０】      Ａ  右袖に入れた切り込み
Ｂ  左袖に入れた切り込み
イ  袖口に通した紐
ロ  紐を通す輪
１  衿首
２  手首
３  右袖
４  左袖
５  右前身頃
６  左前身頃
７  前開き
８  裾
９  後身頃
１０  マジックボタン
１１  右袖の上部
１２  右袖の下部
１３  左袖の上部
１４  左袖の下部
【図１】
0003114318.tif 000003
【図２】
0003114318.tif 000004
【図３】
0003114318.tif 000005